(57)【特許請求の範囲】
【請求項１】
筐体に固定したフロントリブと、第１の付勢手段により前記フロントリブから突出して配置したビルストッパとを備え、放出された紙葉類を前記ビルストッパに衝突させて紙葉類を集積する紙葉類集積装置であって、
前記ビルストッパが前記フロントリブに隠れる位置まで移動したときでも前記ビルストッパと前記筐体との間に隙間が形成されるようにし、
前記ビルストッパの裏側と所定の間隔を持って前記筐体に取り付けられた第２の付勢手段を備え、
前記第１の付勢手段は、放出された紙葉類が前記ビルストッパに当たると撓む程度の低いバネ定数とし、前記第２の付勢手段は、放出された紙葉類がビルストッパに当たっても撓まない程度に強いバネ定数としたことを特徴とする紙葉類集積装置。
【請求項２】
筐体に固定したフロントリブと、第１の付勢手段により前記フロントリブから突出して配置したビルストッパとを備え、放出された紙葉類を前記ビルストッパに衝突させて紙葉類を集積する紙葉類集積装置であって、
前記ビルストッパが前記フロントリブに隠れる位置まで移動したときでも前記ビルストッパと前記筐体との間に隙間が形成されるようにし、
前記フロントリブは、前記放出された紙葉類が衝突する側の面に溝形状若しくは突起形状または摩擦部材を設けるようにしたことを特徴とする紙葉類集積装置。
【発明の詳細な説明】
【技術分野】
【０００１】
本発明は、紙幣等の紙葉類を集積する紙葉類集積装置に関するものである。
【背景技術】
【０００２】
一般に、紙幣等を取扱う現金自動預払機や現金処理装置などの自動取引装置では、紙葉類集積装置を備え、投入された紙幣などを一時的に集積部に集積して保留したり、金種別に集積して収納できるようになっている。
【０００３】
図６は、上記従来の自動取引装置に搭載されている紙葉類集積装置の構成を示す正面図であり、図７はその側面図であり、図８は上面図である。
【０００４】
同図に示したように、従来の紙葉類集積装置は、テンションローラ１と、搬送ローラ２と、搬送ローラシャフト３と、ステージ４と、羽根車５と、ビルストッパ６と、ガイド７と、フロントリブ８と、筐体１２を備え、集積部１５として装置本体から取り外せる構成となっている。鑑別部１３および走行センサ９は、装置本体側の搬送路１１上に配置される。
【０００５】
テンションローラ１は、図示しないバネにより搬送ローラ２に押し付けられている。搬送ローラ２は、搬送ローラシャフト３に組付けられ、図示しない駆動手段により搬送ローラシャフト３を回転させることにより回転する。搬送ローラ２は、高摩擦部材で構成されており、テンションローラ１と搬送ローラ２の間に矢印Ａのように搬送されてきた紙幣１０が入ると、この摩擦力により紙幣１０が搬送される。
【０００６】
搬送ローラシャフト３には、搬送ローラ２と羽根車５が組付けられており、図示しない駆動手段により矢印ＣＷ方向に回転されこの回転により搬送ローラ２と羽根車５が同期して同転する。紙幣集積機構を集積専用にする場合は、搬送ローラシャフト３をＣＷ方向の回転のみを可能とし、一度集積した紙幣１０が搬送路１１に戻らないようにしている。
【０００７】
ステージ４は、図示しないスプリング等によりＵ方向のように上昇する方向に付勢されており、紙幣１０がステージ４上に積層すると紙幣１０の重力によりスプリングが押されて下降する。
【０００８】
羽根車５は、弾力性のある高摩擦部材で放射状に突起部をもった構造をしており、搬送ローラ２の脇に複数列配置してある。そして、集積時に搬送ローラシャフト３の回転により矢印ＣＷ方向に回転する。
【０００９】
ビルストッパ６は、フロントリブ８に挟持されるようにガイド７と対向する位置に複数配置し、集積時に搬送路１１から放出される紙幣１０の先端がビルストッパ６に衝突するようになっている。ビルストッパ６にはスプリング７が設けられており、放出された紙幣１０の先端が矢印Bのようにビルストッパ６に衝突した時に紙幣１０の運動エネルギーを吸収できるようになっている。
【００１０】
また、ビルストッパ６は、図９（ａ）、（ｂ）に示すように紙幣１０が衝突する面に突起やＶ字溝が設けられており、衝突した紙幣１０の先端が上下方向に滑ることを防止している。そして、図９（ｂ）、（ｃ）のａ部に示したように、放出された紙幣１０のビルストッパ６への衝突によりビルストッパ６がフロントリブ８内に隠れ、紙幣１０がフロントリブ８に衝突して先端が滑らないように、ビルストッパ６を筐体１２に当ててビルストッパ６の退避量を規制するようにしている。
【００１１】
ガイド７は、搬送ローラ２を覆うように配置してあり、ガイド７の切込みから搬送ローラ２が突出するようになっている。また、フロントリブ８は、紙幣１０の長手方向に２箇所、ガイド７の対面に配置し、紙幣１０より若干大きい紙幣集積空間を形成するように、集積部１５の筐体１２に設けられている。また、フロントリブ８の紙幣１０と接する面は平らで滑らかな平面となっており摩擦・磨耗が発生しないようになっている。
【００１２】
以上の構成により、従来の紙葉類集積装置は、以下のように動作する。すなわち、鑑別部１３にて金種判別、紙幣の走行データ、紙幣の真偽判別を行われた紙幣１０が、搬送路１１から矢印Ａのように運ばれ、走行センサ９を横切り、通過枚数が計数される。計数された紙幣１０はＣＣＷ方向に回転しているテンションローラ１とＣＷ方向に回転している搬送ローラ２間を通り、矢印Ｂのように集積部１５の集積エリアに放出される。
【００１３】
放出された紙幣１０は、その先端がビルストッパ６に当たり、スプリング７が撓んでそのエネルギーが吸収され押し戻されて、ＣＷ方向に回転している羽根車５により紙幣１０の後端が叩き落とされて、ステージ４上に集積される（例えば、特許文献１参照）。
【先行技術文献】
【特許文献】
【００１４】
【特許文献１】特開２００９−７３６４１号公報
【発明の概要】
【発明が解決しようとする課題】
【００１５】
しかしながら、上記従来の紙葉類集積装置では、紙幣１０がビルストッパ６に当たった時に、ビルストッパ６が図９（ｂ）、（ｃ）の矢印Ｂのように移動し、紙幣一枚ごとに筐体１２にぶつかり、騒音が発生していた。
【００１６】
或いは、さらに、集積部１５が装置本体から切り離され持ち運ばれるときに、集積部１５を誤って落下し、特に、ビルストッパ６側を下側として落下してしまった場合、集積した紙幣１０の重量がビルストッパ６に加わり、ビルストッパ６と筐体１２が衝突して、ビルストッパ６が破損してしまうという問題もあった。
【００１７】
一方、ビルストッパ６が筐体１２に当たらないように、ビルストッパ６をフロントリブ８に隠れるようにすると、紙幣１０がフロントリブ８に当たり、紙幣１０の先端が上下にすべり、紙幣１０の後端を羽根車５で叩けず、後続の紙幣１０が先に放出された紙幣１０の後端に当たり、集積不良となるという問題があった。
【課題を解決するための手段】
【００１８】
本発明は、前述の課題を解決するために次の構成を採用する。すなわち、筐体に固定したフロントリブと、第１の付勢手段により前記フロントリブから突出して配置したビルストッパとを備え、放出された紙葉類を前記ビルストッパに衝突させて紙葉類を集積する紙葉類集積装置であって、前記ビルストッパが前記フロントリブに隠れる位置まで移動したときでも前記ビルストッパと前記筐体との間に隙間が形成されるようにし、前記ビルストッパの裏側と所定の間隔を持って前記筐体に取り付けられた第２の付勢手段を備え、前記第１の付勢手段は、放出された紙葉類が前記ビルストッパに当たると撓む程度の低いバネ定数とし、前記第２の付勢手段は、放出された紙葉類がビルストッパに当たっても撓まない程度に強いバネ定数とした。
【発明の効果】
【００１９】
本発明の紙葉類集積装置によれば、以上のように構成したので、紙葉類を集積するときに、集積不良が発生することなく、騒音の発生を少なくし、落下させたときでもビルストッパの破損を防止することができる。
【図面の簡単な説明】
【００２０】
【図１】実施例１の紙葉類集積装置の構成図である。
【図２】実施例１の紙葉類集積装置の要部構成および動作説明図である。
【図３】実施例１の紙葉類集積装置の構成および動作説明図である。
【図４】実施例２の紙葉類集積装置の構成図である。
【図５】実施例２の紙葉類集積装置の要部構成および動作説明図である。
【図６】従来の紙葉類集積装置の構成図である。
【図７】従来の紙葉類集積装置の構成図である。
【図８】従来の紙葉類集積装置の構成図である。
【図９】従来の紙葉類集積装置の動作説明図である。
【発明を実施するための形態】
【００２１】
以下、本発明に係わる実施の形態例を、図面を用いて説明する。図面に共通する要素には同一の符号を付す。
【実施例１】
【００２２】
（構成）
図１は実施例１の紙幣集積機構の構成を示す正面図であり、図２はその要部構成を示す正面図であり、図３は集積部１５を取り外してビルストッパ６を下側にしたときの集積部１５および要部構成を示す正面図となっている。
【００２３】
同図に示したように、実施例１の紙幣集積機構では、ビルストッパ６の裏側と筐体１２間に備えた第１の付勢手段としてのスプリング７に加え、第２の付勢手段としての第２のスプリング１７をビルストッパ６の裏側と所定の間隔を持って筐体１２に取り付けた構成となっている。
【００２４】
そして、スプリング７は、図２（ｂ）の矢印Ｂのように搬送路１１から放出された紙幣１０がビルストッパ６に当たると撓んでそのエネルギーを吸収できる程度に低いバネ定数となっている。一方、第２のスプリング１７は、放出された紙幣１０がビルストッパ６に当たっても、撓まない程度に強いバネ定数を持ったバネになっている。
【００２５】
また、図３に示したように、ビルストッパ６を下側にして集積部１５が落下した場合などのように、積層された紙幣１０の重さがビルストッパ６に加わり、ビルストッパ６がフロントリブ８の前面まで移動した場合でも、ビルストッパ６と筐体１２と隙間が形成されるようになっている。その他の構成は従来の紙葉類集積装置の構成と同様であるので簡略化のためにその詳細な説明を省略する。
【００２６】
（動作）
以上の構成により実施例１の紙葉類集積装置は、以下のように動作する。この動作を、前出図１ないし図３を用いて以下詳細に説明する。
【００２７】
まず、図１のように、鑑別部１３にて金種判別、紙幣の走行データ、紙幣の真偽判別が行われた紙幣１０が、搬送路１１から矢印Ａのように搬送され、走行センサ９を横切り、通過枚数が計数される。そして、計数された紙幣１０はＣＣＷ方向に回転しているテンションローラ１とＣＷ方向に回転している搬送ローラ２間を通過し、集積部１５の集積エリアに放出される。
【００２８】
放出された紙幣１０は、図２（ｂ）のように、その先端がビルストッパ６に当たり、ビルストッパ６は衝突された衝撃により矢印Ｂ方向に移動する。このとき、紙幣１０は、スプリング７に押し返されることにより放出された速度を弱める。
【００２９】
一方、ビルストッパ６は、第２のスプリング１７まで移動し、第２のスプリング１７により矢印Ｂ方向への勢いが止められる。
【００３０】
そして、ＣＷ方向に回転している羽根車５により、押し返された紙幣１０の後端がはたき落とされて、ステージ４上に集積される。
【００３１】
次に、図３に示したように、集積した紙幣１０を持ち運ぶために集積部１５を装置本体より切り離して運ぶ際に矢印Ｄのように落下させた場合、まず、ビルストッパ６は筐体１２方向、すなわちＤ方向にスプリング７をたわませて移動し、次に、第２のスプリング１７に当たるが、紙幣１０の重量が重いため、第２のスプリング１７も撓み、図３（ｃ）のように、フロントリブ８に隠れる。
【００３２】
このときでも、ビルストッパ６は、ａ部に示したように隙間が形成されるようになっているので、筐体１２に衝突することがなく、破壊することがない。
【００３３】
落下した紙幣１０は、スプリング７および第２のスプリング１７により落下による衝撃が吸収された後、フロントリブ８に当たり、停止する。
【００３４】
（実施例１の効果）
以上のように、実施例１の紙葉類集積装置によれば、ビルストッパにより放出された紙幣の先端の衝突を吸収して集積する紙葉類集積装置において、前記ビルストッパと筐体間に備えたスプリングに加え、第２のスプリングをビルストッパとの間に所定のスペースを設けて筐体に取り付け、前記ビルストッパは、フロントリブに隠れる位置まで移動した場合でもビルストッパと筐体と隙間が形成されるようにしたので、紙葉類を集積するときに、集積不良が発生することなく、騒音の発生を少なくし、落下させたときでもビルストッパの破損を防止することができる。
【実施例２】
【００３５】
（構成）
図４は、実施例２の紙葉類集積装置の構成を示す正面図であり、図５はその要部構成の正面図を示す。同図に示したように、実施例２の紙葉類集積装置では、フロントリブ１８のガイド７側の面にＶ字溝を設けた構成となっている。
【００３６】
なお、実施例２の紙葉類集積装置では、スプリング７のバネ定数は、ビルストッパ６が図５（ｂ）の矢印Ｂのように放出された紙幣１０の衝突によりフロントリブ１８側に押されたときにフロントリブ１８内に隠れる程度に弱いバネ定数としてもよい。その他の構成は従来の紙葉類集積装置の構成と同様であるので簡略化のためにその詳細な説明を省略する。
【００３７】
（動作）
以上の構成により、実施例２の紙葉類集積装置は、以下のように動作する。この動作を前述図４および図５を用いて以下詳細に説明する。
【００３８】
まず、図４のように、鑑別部１３にて金種判別、紙幣の走行データ、紙幣の真偽判別を行われた紙幣１０が、搬送路１１から矢印Ａのように搬送され、走行センサ９を横切り、通過枚数が計数される。そして、計数された紙幣１０はＣＣＷ方向に回転しているテンションローラ１とＣＷ方向に回転している搬送ローラ２間を通過し、集積部１５の集積エリアに矢印Ｂのように放出される。
【００３９】
放出された紙幣１０は、図５（ｂ）のように、その先端がビルストッパ６に当たり、ビルストッパ６は、紙幣１０の衝突による衝撃により矢印Ｂ方向に移動し、フロントリブ１８に隠れた位置でかつスプリング７により筐体１２に接しない位置で止まる。
【００４０】
このとき、紙幣１０の先端は、フロントリブ１８に当たるが、Ｖ字溝が設けられているおりＶ字溝に入り込むため、上下方向に滑らない。
【００４１】
そして、紙幣１０がスプリング７により再びガイド７側に押し戻され、後端がＣＷ方向に回転している羽根車５により、叩き落とされてステージ４上に集積される。
【００４２】
ところで、前述の図３のように、集積部１５を装置本体より切り離して運ぶ際に落下させた場合、実施例２の紙葉類集積装置では、紙幣１０の重量によりビルストッパ６が筐体１２方向にスプリング７を撓ませて移動しフロントリブ１８に隠れるが、フロントリブ１８にはＶ字溝が設けられているので、落下する紙幣１０の先端がフロントリブ１８にて確実に受け止められ滑ることがなく、また、紙幣１０の先端がフロントリブ１８にて止められるのでビルストッパ６が筐体１２に押し付けられて破壊することもない。
【００４３】
なお、以上の実施例２の説明では、第２のスプリング１７を設けない構成として説明したが、実施例１のように、第２のスプリング１７を設けた構成においてフロントリブ１８にＶ字溝を設けるようにしてもよい。
【００４４】
（実施例２の効果）
以上のように実施例２の紙葉類集積装置によれば、ビルストッパにより放出された紙幣の先端の衝突を吸収して集積する紙葉類集積装置において、前記ビルストッパと筐体間にスプリングを設け、フロントリブにＶ字溝を設け、前記スプリングは、放出された紙幣がビルストッパに当たると撓む程度に低いバネ定数とし、前記ビルストッパは、フロントリブに隠れる位置まで移動した場合でもビルストッパと筐体と隙間が形成されるようにしたので、紙葉類を集積するときに、集積不良が発生することなく、騒音の発生を少なくし、落下させたときでもビルストッパの破損も防止することができる。
【００４５】
《その他の変形例》
以上の実施例の説明では、ビルストッパ６やフロントリブ１８のガイド７側の面にＶ字溝を設けるように説明したが、鋸歯状の溝やＵ字溝などの溝形状であってもよく、任意の突起形状を設けるようにしてもよいし、摩擦係数の高い材料を配置するようにしてもよい。
【産業上の利用可能性】
【００４６】
本発明は、紙幣等の紙葉類を集積する紙葉類集積装置を搭載した現金自動預払機や現金処理装置などの自動取引装置に広く用いることができる。
【符号の説明】
【００４７】
１    テンションローラ
２    搬送ローラ
３    搬送ローラシャフト
４    ステージ
５    羽根車
６    ビルストッパ
７    スプリング
８、１８  フロントリブ
９    走行センサ
１０  紙幣
１１  搬送路
１２  筐体
１３  鑑別部
１５  集積部
１７  第２のスプリング
【図１】
0005760651.tif 000002
【図２】
0005760651.tif 000003
【図３】
0005760651.tif 000004
【図４】
0005760651.tif 000005
【図５】
0005760651.tif 000006
【図６】
0005760651.tif 000007
【図７】
0005760651.tif 000008
【図８】
0005760651.tif 000009
【図９】
0005760651.tif 000010